(57)【要約】【課題】不正行為を抑制することのできる遊技機を提供する。【解決手段】パチンコ機１０は、球通路を有した球回収部材を備えている。球回収部材の背壁部には球通路に対応して膨出部が形成され、当該膨出部において入賞口スイッチを挿し込むための取付孔が形成されている。また、膨出部には、取付孔の上縁部及び下縁部から球通路の内側に向けて延出した延出片が形成されている。そして、入賞口スイッチの取付状態においては、当該入賞口スイッチの上面部及び下面部に各延出片がそれぞれ当接した状態となる。【選択図】      図１
2020175256.tif 000002
【特許請求の範囲】
【請求項１】
遊技球が流下可能な球通路を有した球通路構成部材と、
遊技球が通過可能な通過孔を有し、当該通過孔を通過する遊技球を検出可能な球検出手段とを備え、
前記通過孔が前記球通路内に臨むように前記球検出手段が前記球通路構成部材に取付けられる遊技機において、
前記球通路構成部材は、
前記球検出手段の上流側に離間して前記球通路の内壁面から当該球通路の内側に向けて延出形成された延出片を備え、
前記球検出手段は、遊技球が前記通過孔を通過しなければ当該遊技球を検出しないことを特徴とする遊技機。
【請求項２】
前記遊技機は、パチンコ機であることを特徴とする請求項１に記載の遊技機。
【発明の詳細な説明】
【技術分野】
【０００１】
本発明は、パチンコ機等の遊技機に関するものである。
【背景技術】
【０００２】
遊技機の一種としてパチンコ機がある。パチンコ機には、遊技球を検出するための各種球検出スイッチが設けられている。
【０００３】
例えば球検出スイッチとして用いられる近接スイッチは、遊技球の通過に伴う磁束の変化を検出することにより当該遊技球の通過を検出する（例えば、特許文献１参照）。
【先行技術文献】
【特許文献】
【０００４】
【特許文献１】特開２００２−２３９１６９号公報
【発明の概要】
【発明が解決しようとする課題】
【０００５】
ところが、従来では、流下する遊技球が衝突し、球検出スイッチが破損したり故障するおそれがあった。
【０００６】
本発明は、上記例示した問題点などを解決するためになされたものであり、その目的は、故障等の発生を抑制することのできる遊技機を提供することにある。
【課題を解決するための手段】
【０００７】
上記の目的を達成するため、本発明に係る遊技機は、
遊技球が流下可能な球通路を有した球通路構成部材と、
遊技球が通過可能な通過孔を有し、当該通過孔を通過する遊技球を検出可能な球検出手段とを備え、
前記通過孔が前記球通路内に臨むように前記球検出手段が前記球通路構成部材に取付けられる遊技機において、
前記球通路構成部材は、
前記球検出手段の上流側に離間して前記球通路の内壁面から当該球通路の内側に向けて延出形成された延出片を備え、
前記球検出手段は、遊技球が前記通過孔を通過しなければ当該遊技球を検出しないことをその要旨としている。
【発明の効果】
【０００８】
本発明の遊技機によれば、故障等の発生を抑制することができるという優れた効果を奏する。
【図面の簡単な説明】
【０００９】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】内枠及び遊技盤の構成を示す背面図である。
【図６】パチンコ機の構成を示す背面図である。
【図７】球回収部材の背面図である。
【図８】球回収部材の背面視左部を背面側から見た部分斜視図である。
【図９】球回収部材の背面視左部を前面側から見た部分斜視図である。
【図１０】図７のＡ−Ａ線断面図である。
【図１１】図７のＡ−Ａ線で切断した球回収部材の背面視左部を背面側から見た部分斜視図である。
【図１２】図７のＡ−Ａ線で切断した球回収部材の背面視左部を前面側から見た部分斜視図である。
【図１３】入賞口スイッチを取外した状態の図７のＡ−Ａ線断面図である。
【図１４】入賞口スイッチを取外した状態の図７のＡ−Ａ線で切断した球回収部材の背面視左部を背面側から見た部分斜視図である。
【図１５】入賞口スイッチを取外した状態の図７のＡ−Ａ線で切断した球回収部材の背面視左部を前面側から見た部分斜視図である。
【図１６】電気的構成を示すブロック図である。
【図１７】入球検出スイッチと主制御装置との電気的接続構成を示すブロック図である。
【図１８】入球検出スイッチとその検出範囲との関係を説明するための断面模式図である。
【図１９】（ａ）は、入球検出スイッチにおける磁界等の変化を説明するための図であり、（ｂ）は、入球検出スイッチからの出力信号を説明するためのタイミングチャートである。
【図２０】スイッチ読込み処理を示すフローチャートである。
【図２１】（ａ）は、入球検出スイッチからの出力信号を説明するためのタイミングチャートであり、（ｂ）は、ＣＰＵへの入力信号を説明するためのタイミングチャートである。
【図２２】（ａ）は、不正行為時における近接スイッチ（入球検出スイッチ）の磁界等の変化を説明するための図であり、（ｂ）は、その際の近接スイッチからの出力信号を説明するためのタイミングチャートである。
【図２３】（ａ）は、不正行為時における近接スイッチ（賞球検出スイッチ）の磁界等の変化を説明するための図であり、（ｂ）は、その際の近接スイッチからの出力信号を説明するためのタイミングチャートである。
【図２４】（ａ）は、従来の球回収部材を示す断面図であり、（ｂ）は、そこから入賞口スイッチを取外した状態を示す断面図である。
【発明を実施するための形態】
【００１０】
遊技機の一種としてパチンコ機がある。パチンコ機には、遊技球を検出するための各種球検出手段が設けられている。
【００１１】
例えば、発射された遊技球が案内される遊技領域には、当該遊技球が入球可能な各種入球手段が設けられ、これら入球手段に対応して当該入球手段へ入球した遊技球の検出を行う入球検出スイッチが設けられている。
【００１２】
入球検出スイッチから出力される検出信号が主制御装置に入力されると、主制御装置は、これらの検出信号に基づいて遊技に関する各種制御を行うこととなる。例えば、所定の入球手段に遊技球が入球した場合には、主制御装置は、検出結果に応じた払出指令を払出制御装置に送信する。また、始動用の入球手段に遊技球が入球した場合には大当たり状態を発生させるか否かの当落抽選を行い、当選結果が得られると遊技者に有利な大当たり状態を発生させる。大当たり状態が発生すると、遊技者は、大当たり用の入球手段に遊技球を入球させることにより、多くの賞球を獲得することができる。
【００１３】
一方、払出制御装置は、主制御装置からの払出指令に対応した数の賞球を払出すべく、払出装置を駆動制御する。当該払出装置は、払出された賞球を検出する賞球検出スイッチを備えており、払出制御装置は、当該賞球検出スイッチにて検出された検出情報に基づき、賞球が予定通り払い出されたか否かを把握する。
【００１４】
一般的な球検出スイッチとしては、非接触式で耐久性などに優れた近接スイッチが数多く採用されている。
【００１５】
近接スイッチは、例えば遊技球の通過に伴う磁束の変化を検出することにより当該遊技球の通過を検出する。
【００１６】
より詳しく説明すると、近接スイッチは、遊技球を通過させる通過孔と、その通過孔の回りに配設された検出コイルと、当該検出コイルに接続された高周波発振回路とを有している。そして、遊技球が通過孔を通過した場合には、電磁誘導作用によって、金属である遊技球内に誘導電流が流れる。この際の検出コイルのインダクタンスや損失の変化により、高周波発振回路では発振振幅や発振周波数等が変化する。これを検出回路により検出することにより、遊技球の通過を非接触で検出できる。検出回路により検出される信号は、コンパレータ等からなる出力回路を介して外部に出力される。
【００１７】
上記構成の下、遊技球が通過孔を通過してない通常時には、近接スイッチの出力端子からはローレベル信号が出力される一方、遊技球が通過孔を通過している際中にはハイレベル信号が出力される。主制御装置は、この信号レベルの変化を検知することにより、遊技球の通過があった旨を検出することができる（例えば、特許文献１参照）。
【００１８】
ところが、このような球検出スイッチは、従来より様々な不正行為の対象となってきた。
【００１９】
例えばパチンコ機の隙間から侵入させた針金等を近接スイッチの通過孔に挿し込むことにより、入球検出スイッチを誤作動させる不正行為などが行われるおそれがあった。
【００２０】
本発明は、上記例示した問題点などを解決するためになされたものであり、その目的は、不正行為を抑制することのできる遊技機を提供することにある。
【００２１】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００２２】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００２３】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、施錠装置６００の係止部材が係止される上下一対の受け金具が取付けられている。さらに、外枠１１下部には、樹脂製の幕板飾り８５が取着されている。
【００２４】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００２５】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２６】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２７】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２８】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段（電気抵抗の変化を検出することで操作量を検出できるようになっている）が設けられている。
【００２９】
下皿１５の上方には上皿１９が設けられている。上皿１９は、遊技球を一旦貯留し、一列に整列させながら後述する遊技球発射ユニット（以下、単に発射ユニットという）７０の方へ案内する球受皿である。なお、上皿１９から溢れる遊技球は下皿１５へ案内されるようになっている。
【００３０】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００３１】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図１６参照）が設けられるとともに、当該スピーカＳＰの前側にスピーカカバー２４が取着されている。
【００３２】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００３３】
次に、内枠１２（樹脂ベース３８）について図４，図５を参照して説明する。図４は、内枠及び遊技盤の構成を示す正面図であり、図５は、内枠及び遊技盤の構成を示す背面図である。
【００３４】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３５】
また、内枠１２（樹脂ベース３８）の下部、すなわち窓孔３９（遊技盤３０）の下方位置には、後側へ膨出した膨出部４０が形成されている。この膨出部４０の前面右側には、発射ユニット７０が取付けられている。
【００３６】
発射ユニット７０は、膨出部４０に固定される金属製のベース板７０ａ上に、発射手段としての発射装置７０ｂと、発射レール７０ｃと、球送り機構７０ｄとを備えた構成となっている。
【００３７】
発射レール７０ｃは、発射装置７０ｂにより発射される遊技球を案内するためのものであって、所定の発射角度となるよう直線的に延びている。そして、当該発射レール７０ｃに沿って斜め上方に打ち出された遊技球は、その後、後述するレール５０に沿って遊技領域に案内される。
【００３８】
球送り機構７０ｄは、上皿１９側から案内されてくる遊技球を１球ずつ、発射装置７０ｂの発射動作に同期して、発射レール７０ｃの基端部に案内するためのものである。
【００３９】
本実施形態では、発射装置７０ｂとしてソレノイド式の発射装置を採用している。発射装置７０ｂの動作は、発射制御装置３１２により制御される。発射制御装置３１２は、遊技者によるハンドル１８の操作量に応じて、コイルへの印加電圧を可変させる。これにより、ソレノイドに発生する磁力を調整して、プランジャの変位速度を変化させ、遊技球の発射速度ひいては飛翔量を調整する。また、発射制御装置３１２が、コイルへの印加電圧をパルス状に制御することにより、所定周期でソレノイドの励磁・非励磁状態が交互に切替えられ、上記発射動作が間欠的に繰り返し行われることとなる。
【００４０】
また、膨出部４０には、後述する払出機構部３５２から上記下皿１５の排出口１６へ繋がる球通路７１が設けられている。また、発射ユニット７０の発射レール７０ｃと後述するレール５０（外レール構成部５２）との間には所定間隔の隙間があり、この隙間より下方にファール球通路７２が形成されている。これにより、仮に、発射ユニット７０から発射された遊技球が後述する戻り球防止部材５３まで至らずファール球としてレール５０を逆戻りする場合には、そのファール球がファール球通路７２及び球通路７１を介して下皿１５に排出される。
【００４１】
また、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００４２】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた後述する検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００４３】
また、第１契機対応口３３へ遊技球が入球したことを契機として大当たり抽選が行われ、当該大当たり抽選により当選結果が得られた場合には特別遊技状態としての大当たり状態が発生する。
【００４４】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００４５】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４６】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００４７】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンドに基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００４８】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００４９】
また、遊技盤３０には、発射ユニット７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００５０】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００５１】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００５２】
次に、パチンコ機１０の背面構成について図５，図６を参照して説明する。パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００５３】
まず、遊技盤３０の背面構成について説明する。上述したように遊技盤３０の中央にはルータ加工によって形成された貫通穴に対して可変表示装置ユニット３５が配設されている。
【００５４】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００５５】
サブ制御装置５６０は、後述するように主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板が透明樹脂材料等よりなる基板ボックス５６２に収容されて構成されている。
【００５６】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品である。また、裏枠セット２１５の下方には、各種入賞部に入賞した遊技球を回収するための球回収部材２１６が取付けられている。球回収部材２１６は、樹脂材料により一体形成された部材であって、前述した一般入賞口３１、可変入賞装置３２、第１契機対応口３３へ入賞した遊技球を下流側へ案内する球通路２３１，２３２，２３３を備えている（図７参照）。球回収部材２１６が本実施形態における球通路構成部材を構成する。
【００５７】
また、第２制御基板ユニット２０２には、球回収部材２１６の下方位置において排出通路部２１７が形成されており、該排出通路部２１７には排出球をパチンコ機１０外部へ排出する排出シュート２１８が形成されている（図６参照）。従って、一般入賞口３１等に入賞した遊技球は何れも球回収部材２１６を介して排出通路部２１７へ案内され、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００５８】
また、遊技盤３０の裏側には、入球手段としての一般入賞口３１等の各種入賞口に対応して、当該各種入賞口へ入球した遊技球を検出する入球検出スイッチ（入球検出手段）が設けられている。
【００５９】
具体的には、遊技盤３０表側の一般入賞口３１に対応して入賞口スイッチ２２１が設けられ、可変入賞装置３２に対応してカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【００６０】
このうち、入賞口スイッチ２２１は球回収部材２１６に取付けられている。一方、カウントスイッチ２２３、第１契機対応口スイッチ２２４及び第２契機対応口スイッチ２２５は、それぞれ可変入賞装置３２、第１契機対応口３３及び第２契機対応口３４に取付けられている。
【００６１】
ここで、各種入球検出スイッチの構成について説明する。本実施形態では、入賞口スイッチ２２１、カウントスイッチ２２３、第１契機対応口スイッチ２２４、第２契機対応口スイッチ２２５として、従来一般に使用される貫通型の近接スイッチを採用している。
【００６２】
貫通型の近接スイッチは、薄板状の略直方体形状をなし、遊技球を通過させる通過孔を有している（図１１等参照）。その通過孔の回りには高周波発振回路に接続された検出コイルが配設されている。そして、遊技球が通過孔を通過した場合には、電磁誘導作用によって、金属である遊技球内に誘導電流が流れる。この際の検出コイルのインダクタンスや損失の変化により、高周波発振回路では発振振幅や発振周波数等が変化する。これを検出回路により検出することにより、遊技球の通過を非接触で検出できる。検出回路により検出される信号は、コンパレータ等からなる出力回路を介して外部に出力される。
【００６３】
次に、入賞口スイッチ２２１の球回収部材２１６への取付構造について図７〜１５を参照して説明する。図７は、球回収部材２１６の背面図である。図８は、球回収部材２１６の背面視左部を背面側から見た部分斜視図であり、図９は、それを前面側から見た部分斜視図である。図１０は、図７のＡ−Ａ線断面図であり、図１１は、そのＡ−Ａ線で切断した球回収部材２１６の背面視左部を背面側から見た部分斜視図であり、図１２は、それを前面側から見た部分斜視図である。図１３は、入賞口スイッチ２２１を取外した状態の図７のＡ−Ａ線断面図であり、図１４は、そのＡ−Ａ線で切断した球回収部材２１６の背面視左部を背面側から見た部分斜視図であり、図１５は、それを前面側から見た部分斜視図である。
【００６４】
左右の各球通路２３１は、それぞれ２箇所の入賞口スイッチ２２１に対応した２本の上流部２３１ａ，２３１ｂと、当該上流部２３１ａ，２３１ｂが合流して１本となった下流部２３１ｃとから構成されている。
【００６５】
球通路２３１は、球回収部材２１６の背壁部４０１、当該背壁部４０１から前方向へ突出形成された各種リブ、及び、球回収部材２１６が取着される遊技盤３０の背面部により画定される。そのうち、下流部２３１ｃの大部分は、上下方向へ並行して延びるリブ４０２，４０３により、その左右の側壁部が構成される。
【００６６】
球通路２３１の内部は、その大部分において、そこを通過する遊技球の直径が１１ｍｍであるのに対し、少し余裕を持って一辺が１２ｍｍの断面略正方形状に形成されている。勿論、遊技球の直径や球通路２３１の寸法は、これに限定されるものではない。
【００６７】
下流部２３１ｃの所定位置には、背壁部４０１において、通路内側から外側に向けて膨出した膨出部４０５が形成されている。
【００６８】
膨出部４０５の上下方向略中央部には、入賞口スイッチ２２１を球通路２３１内へ挿し込み可能なように貫通形成された取付孔４０６が形成されている。
【００６９】
取付孔４０６は、上下方向（通路方向）に沿った開口幅Ｙ１が、入賞口スイッチ２２１の上下幅（通過孔２２１ｄの貫通方向の幅）と略同一幅に形成されている。また、左右方向（通路方向の直交方向）に沿った開口幅Ｙ２は、入賞口スイッチ２２１の左右幅と略同一幅に形成されている。これにより、入賞口スイッチ２２１が取付孔４０６に取付けられた際には、両者間に隙間が形成されないようになっている。
【００７０】
膨出部４０５には、取付孔４０６の上縁部及び下縁部からそれぞれ通路内側に向けて延出した延出片４０７，４０８が設けられている。これにより、入賞口スイッチ２２１の取付状態においては、当該入賞口スイッチ２２１の上面部２２１ｆ及び下面部２２１ｇに各延出片４０７，４０８がそれぞれ当接した状態となる。
【００７１】
延出片４０７，４０８の端縁部４０７ａ，４０８ａは、リブ４０２からリブ４０３にかけて、略Ｕ字状に形成されており、入賞口スイッチ２２１の取付状態において通過孔２２１ｄを塞がないように構成されている。
【００７２】
具体的には、端縁部４０７ａ，４０８ａのうち、入賞口スイッチ２２１の通過孔２２１ｄの中心から後側（膨出部４０５側）に位置する部分は、通過孔２２１ｄの周縁形状に沿って略円弧状に形成されている。一方、通過孔２２１ｄの中心から前側（遊技盤３０側）部分においては、リブ４０２，４０３からの突出量が一定となるように直線状に形成されている。
【００７３】
但し、本実施形態においては、膨出部４０５とリブ４０２，４０３との各コーナー部及びその近傍を除いて、膨出部４０５及びリブ４０２，４０３からの突出量が極めて少なく設定されている。例えば、通過孔２２１ｄの中心から前側（遊技盤３０側）部分に関しては、上述したように球通路２３１の一辺が１２ｍｍに設定されるとともに、後述するように入賞口スイッチ２２１の通過孔２２１ｄの直径が１１．４ｍｍに設定されていることから、リブ４０２，４０３からの端縁部４０７ａ，４０８ａの突出量が０．３ｍｍに設定されている。これは、球通路２３１と、入賞口スイッチ２２１の通過孔２２１ｄとの大きさを考慮したものであり、勿論、このような構成に限定されるものではなく、端縁部４０７ａ，４０８ａの突出量は、入賞口スイッチ２２１の通過孔２２１ｄを塞がない範囲で適宜変更可能である。
【００７４】
一方、膨出部４０５の背面側には、取付孔４０６の左右側縁部からそれぞれ後方に向けて延出した左右一対の支持部４１１，４１２が設けられている。両支持部４１１，４１２は、その上縁及び下縁がそれぞれ相対向する向きに屈曲しており、断面略コ字状をなしている。これにより、支持部４１１，４１２の相対向する側には、それぞれ溝部４１３，４１４が形成される。
【００７５】
そして、この溝部４１３，４１４は、取付孔４０６を介して、延出片４０７，４０８間におけるリブ４０２，４０３の壁面にまで連続して形成されており、支持部４１１，４１２側より取付孔４０６を通じて延出片４０７，４０８間へ前後方向に沿って入賞口スイッチ２２１を挿し込むことができるように構成されている。
【００７６】
溝部４１３，４１４の前端部には、リブ４０２からリブ４０３に架け渡されるようにして規制片４１５が設けられている。規制片４１５の上下幅は、溝部４１３，４１４の上下幅と略同一幅となっている。つまり、規制片４１５は延出片４０７，４０８間に設けられている。
【００７７】
また、支持部４１２の後端部には、そこからさらに後方へ突出したアーム部４１７が形成されている。アーム部４１７の後端部には、支持部４１１側向きに突出した係止爪４１８が形成されている。
【００７８】
次に、入賞口スイッチ２２１の取付手順及び取付状態について説明する。
【００７９】
まず、アーム部４１７を弾性変形させつつ、入賞口スイッチ２２１の前側（通過孔２２１ｄ側）から支持部４１１，４１２に沿って取付孔４０６内へ挿し込んでいく。
【００８０】
そして、溝部４１３，４１４に沿って入賞口スイッチ２２１を挿し込んでいき、入賞口スイッチ２２１の前端部が規制片４１５に達したところで、入賞口スイッチ２２１の後端部が係止爪４１８を通過し、アーム部４１７が復元する。これにより、入賞口スイッチ２２１の後端部が係止爪４１８に係止され、入賞口スイッチ２２１の取付けが完了する。
【００８１】
入賞口スイッチ２２１の取付状態においては、規制片４１５及び係止爪４１８によって入賞口スイッチ２２１の前後方向への動きが規制され、延出片４０７，４０８及び支持部４１１，４１２等により上下方向への動きが規制される。
【００８２】
そして、延出片４０７，４０８の端縁部４０７ａ，４０８ａの円弧部分が、通過孔２２１ｄの周縁部に沿って配置され、遊技球が通過孔２２１ｄを通過可能となる。これにより、入賞口スイッチ２２１の上面部２２１ｆ及び下面部２２１ｇのうち、少なくとも通過孔２２１ｄの中心から後側に位置する部分は、延出片４０７，４０８により被覆された状態となる。
【００８３】
さて、その他図示は省略するが、可変入賞装置３２には、大入賞口を開放するための大入賞口ソレノイドが設けられ、第１契機対応口３３には、電動役物を開放するための第１契機対応口（始動口）ソレノイドが設けられている。
【００８４】
上記入球検出スイッチにて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出しが実施される。本実施形態のパチンコ機１０では、各種入賞口毎に遊技球の入賞を電気的に感知して払出しが直ちに行われる。
【００８５】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。
【００８６】
なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００８７】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００８８】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００８９】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００９０】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００９１】
次に、裏パックユニット２０３の構成を説明する。裏パックユニット２０３は、樹脂成形された裏パック３５１と遊技球の払出機構部３５２とを一体化したものである。
【００９２】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。また、保護カバー部３５４の背面には多数の通気孔３５４ａが設けられている。
【００９３】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００９４】
勿論、払出機構部３５２には、払出装置３５８から払い出される遊技球を検出するための払出カウントスイッチ（払出球検出手段）が所定位置（例えば払出装置３５８内）に取付けられている。本実施形態では、払出カウントスイッチとして、遊技球の通過可能な通過孔が設けられた貫通型の近接スイッチを採用している。つまり、払出カウントスイッチの構成は、上記入賞口スイッチ２２１等の各入球検出スイッチと同様の構成となっている。
【００９５】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００９６】
次に、パチンコ機１０の電気的構成について説明する。図１６は、本パチンコ機１０の電気的構成を示すブロック図である。パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００９７】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００９８】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００９９】
かかるＲＯＭ５０２及びＲＡＭ５０３を内蔵したＣＰＵ５０１には、アドレスバス及びデータバスで構成されるバスライン５０４を介して入出力ポート５０５が接続されている。
【０１００】
入出力ポート５０５には、後述するＲＡＭ消去スイッチ回路５４３、払出制御装置３１１、サブ制御装置５６０、特別表示装置４３、普通図柄表示装置４１が接続されている。但し、普通図柄表示装置４１及び特別表示装置４３とは、サブ制御装置５６０の入出力ポート５５４を中継手段として接続されている。この構成により、上述した特別表示装置４３および普通図柄表示装置４１は、主制御装置２６１により直接的に制御される。一方、装飾図柄表示装置４２は、サブ制御装置５６０を介して制御される。
【０１０１】
その他、便宜上、図示は省略するが、入出力ポート５０５には、上記入賞口スイッチ２２１等の各種入球検出スイッチが接続されている。
【０１０２】
サブ制御装置５６０（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１０３】
入出力ポート５５４には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１０４】
サブ制御装置５６０のＣＰＵ５５１は、例えば主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１０５】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１０６】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１０７】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１０８】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。その他、便宜上、図示は省略するが、入出力ポート５１５には、払出カウントスイッチ等も接続されている。これにより、払出制御装置３１１は、払出カウントスイッチにて検出された検出情報に基づき、賞球が予定通り払い出されたか否かを把握することができる。
【０１０９】
発射制御装置３１２は、発射装置７０ｂによる遊技球の発射を許可又は禁止するものであり、発射装置７０ｂは、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、上述したように発射装置７０ｂが駆動され、ハンドル１８の操作量に応じた強度で１球ずつ遊技球が発射される。
【０１１０】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置５６０の入出力ポート５５４が接続されている。また、入力ポート５２７には、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１１１】
表示制御装置４５のＣＰＵ５２１は、サブ制御装置５６０から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１１２】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１１３】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１１４】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１１５】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１６】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１１７】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１８】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１１９】
次に上記入球検出スイッチと主制御装置２６１とに関わる電気的構成について、図１７の模式的なブロック図に示す入賞口スイッチ２２１との関係を例にして説明する。
【０１２０】
上述したような貫通型の近接スイッチよりなる入賞口スイッチ２２１は、入力端子２２１ａ、出力端子２２１ｂ及びアース端子２２１ｃを備えている。
【０１２１】
入賞口スイッチ２２１の入力端子２２１ａは、ケーブルコネクタや中継基板などにより構成される所定の電気経路２２６を介して、主制御装置２６１の電源供給端子２２７に接続されている。これにより、入賞口スイッチ２２１には、電源装置３１３によって生成される＋１２Ｖ電源が動作電源として供給される。
【０１２２】
入賞口スイッチ２２１の出力端子２２１ｂは、ケーブルコネクタや中継基板などにより構成される所定の電気経路２２８を介して、主制御装置２６１の反転回路２２９に接続されている。主制御装置２６１の反転回路２２９は、ＣＰＵ５０１に接続されている。これにより、入賞口スイッチ２２１からの出力信号は、主制御装置２６１の反転回路２２９にて論理反転されて、ＣＰＵ５０１へ入力される。
【０１２３】
入賞口スイッチ２２１のアース端子２２１ｃは、ケーブルコネクタや中継基板などにより構成される所定の電気経路２３０を介して主制御装置２６１のグランドレベルに電気的に接続（接地）されている。図示は省略するが、ＣＰＵ５０１（アース端子）も当然グランドレベルに接続されている。なお、ここでいうグランドレベルとは、主制御装置２６１において基準電位０Ｖのレベルとなる電気経路全般を指す。
【０１２４】
上記構成により、遊技球が入賞口スイッチ２２１の通過孔２２１ｄ（検出範囲Ｌ）を通過してない通常時には、出力端子２２１ｂから＋１２Ｖのハイレベル信号が出力される。
【０１２５】
但し、本実施形態における入賞口スイッチ２２１は、図１８に示すように、通過孔２２１ｄの貫通方向（図１８の上下方向）に対し、その上面部２２１ｆから下面部２２１ｇ側へ所定長離れた位置ｘ１から、さらに所定長離れた位置ｘ２までの区間が検出範囲Ｌとして設定されている。つまり、遊技球Ｂが入賞口スイッチ２２１の通過孔２２１ｄを通過しつつ、その下端Ｂａが検出範囲Ｌに達したところで、当該遊技球Ｂが検出され始め、その上端Ｂｂが検出範囲Ｌを通過し終わったところで、当該遊技球Ｂの検出が終了することとなる。本実施形態では、正規の遊技球Ｂの直径が１１ｍｍであるのに対し、例えば入賞口スイッチ２２１の通過孔２２１ｄの直径Ｗ１は１１．４ｍｍに設定され、上面部２２１ｆから下面部２２１ｇまでの厚みＷ２が６．０ｍｍに設定され、上面部２２１ｆから位置ｘ１までの距離Ｗ３が８．６ｍｍに設定され、検出範囲Ｌの区間が２．７ｍｍに設定されている。勿論、入賞口スイッチ２２１及びその検出範囲Ｌの寸法はこれに限定されるものではなく、適宜、変更可能である。
【０１２６】
一方、遊技球が通過孔２２１ｄ（検出範囲Ｌ）を通過している際には、基準電位０Ｖのローレベル信号が出力される。従って、主制御装置２６１のＣＰＵ５０１には、反転回路２２９を介すことにより、通常時にはローレベル信号が入力され、遊技球の通過を検出した場合にはハイレベル信号が入力されることとなる。
【０１２７】
例えば、入賞口スイッチ２２１の通過孔２２１ｄを遊技球が通過すると、図１９（ ａ ）に示すように、遊技球の通過中（時間ＴＳ１〜ＴＳ２）は、高周波発振回路の発振振幅や発振周波数等が変化し、図１９（ ｂ ）に示すように、主制御装置２６１の入力レベルがローレベル（Ｌ）からハイレベル（Ｈ）に切換わる。
【０１２８】
なお、入賞口スイッチ２２１が通常時にハイレベル信号を出力し、遊技球検出時にローレベル信号を出力する構成とした理由は、主制御装置２６１のＣＰＵ５０１による誤検知を抑制するためである。
【０１２９】
従来のように通常時にはローレベル信号を出力し、遊技球検出時にはハイレベル信号を出力する構成では、入賞口スイッチ２２１と主制御装置２６１との間の電気経路２２８にノイズが乗り、このノイズがあたかもハイレベル信号として主制御装置２６１に入力されてしまい、実際には入賞口スイッチ２２１ヘの遊技球の通過がないにもかかわらず、ＣＰＵ５０１が遊技球の通過があったと誤認してしまうおそれがあった。ノイズの原因としては、各種電子機器により生じる静電気や、遊技者がパチンコ機１０を揺らしたり叩いたりして生じる振動等が挙げられる。
【０１３０】
なお、詳細は省略するが、他の入球検出スイッチ（カウントスイッチ２２３、第１契機対応ユニットスイッチ２２４、第２契機対応口スイッチ２２５）と主制御装置２６１との関係についても、入賞口スイッチ２２１と同様の構成となっている。
【０１３１】
続いて、主制御装置２６１のＣＰＵ５０１により定期的に行われるスイッチ読み込み処理について詳しく説明する。なお、このスイッチ読み込み処理では、各入球検出スイッチ（入賞口スイッチ２２１、カウントスイッチ２２３、第１契機対応ユニットスイッチ２２４、第２契機対応口スイッチ２２５）を個々に監視して、個別に同様の処理が行われる。従って、ここでは入賞口スイッチ２２１に係るスイッチ読み込み処理を一例に図２０を参照して詳しく説明するが、他の入球検出スイッチに関しても図２０に示す処理と同様の処理が行われる。
【０１３２】
先ずステップＳ６００１では、入賞口スイッチ２２１からの入力信号の信号レベルをチェックする。この処理の機能が本実施形態における信号監視手段を構成する。
【０１３３】
例えば遊技球が入賞口スイッチ２２１の通過孔２２１ｄ（検出範囲Ｌ）を通過してない通常時には、入賞口スイッチ２２１からは＋１２Ｖのハイレベル信号（Ｈ）が出力され〔図２１（ａ）のタイミングｔ１参照〕、主制御装置２６１側では反転回路２２９を経てＣＰＵ５０１に基準電位０Ｖのローレベル信号（Ｌ）が入力される〔図２１（ｂ）のタイミングｔ１参照〕。図２１（ａ）は、入賞口スイッチ２２１からの出力信号を説明するためのタイミングチャートであり、図２１（ｂ）は、ＣＰＵ５０１への入力信号を説明するためのタイミングチャートである。
【０１３４】
一方、一般入賞口３１へ遊技球が入球して、遊技球が入賞口スイッチ２２１の通過孔２２１ｄ（検出範囲Ｌ）を通過している最中には、入賞口スイッチ２２１からローレベル信号（Ｌ）が出力され〔図２１（ａ）のタイミングｔ２，ｔ３参照〕、主制御装置２６１側では反転回路２２９を経てＣＰＵ５０１にハイレベル信号（Ｈ）が入力される〔図２１（ｂ）のタイミングｔ２，ｔ３参照〕。
【０１３５】
続くステップＳ６００２では、ステップＳ６００１にてチェックした信号レベルを、ＲＡＭ５０３の作業エリアに設けられた入賞口スイッチ２２１用の信号レベルバッファに記憶する。
【０１３６】
なお、信号レベルバッファは、各入球検出スイッチ（入賞口スイッチ２２１、カウントスイッチ２２３、第１契機対応ユニットスイッチ２２４、第２契機対応口スイッチ２２５）に対応して設けられており、各入球検出スイッチ毎の信号レベルがそれぞれ記憶される。信号レベルバッファが本実施形態におけるレベル記憶手段に相当する。
【０１３７】
信号レベルバッファは、リングバッファにより構成されている。リングバッファとは、概念上、バッファ領域内の先頭アドレスと最終アドレスとがリング状に繋がり、ライトポインタとリードポインタの２つのアドレスポインタを用いて先頭アドレスから順に書き込んで行き、最終アドレスまで到達すると再び先頭アドレスに戻って書き込めるように制御されるバッファである。そして、ライトポインタの示す所定アドレス位置にデータの書込みが行われた後、当該ライトポインタの値が次のアドレスを示す値に更新される。同様に、リードポインタの示す所定アドレス位置からデータの読出しが行われた後、当該リードポインタの値が次のアドレスを示す値に更新される。
【０１３８】
また、本実施形態の各信号レベルバッファを構成するリングバッファには、最も新しい過去２００ｍｓｅｃ分すなわち１００周期分のデータが記憶されるとともに、これを越えた古いデータから順に消去される構成となっている。また、リードポインタの位置は最新のデータの記憶された所定アドレス位置を示すようになっており、後述するように当該リードポインタの位置を基準に過去複数回分のデータが読み出される構成となっている。
【０１３９】
ステップＳ６００２の説明に戻り、入賞口スイッチ２２１用の信号レベルバッファには、２ｍｓｅｃ周期で信号レベルをチェックする毎に、当該信号レベルに対応した論理値が順にライトポインタの示す所定アドレス位置に書き込まれていく。ここで、ＣＰＵ５０１への入力信号の信号レベルが「Ｈ（ハイ）」の場合には、これを示すレベル情報としての論理値「１」が記憶され、信号レベルが「Ｌ（ロー）」の場合には、これを示すレベル情報としての論理値「０」が記憶される。
【０１４０】
その後、ステップＳ６００３において、一般入賞口３１へ遊技球の入球の有無を判定するための前処理である演算処理を行う。
【０１４１】
より詳しくは、信号レベルバッファに記憶された最近の過去３回分のデータのうちの最先のデータ（最も古いデータ）の論理反転処理を行うとともに、当該論理反転された最先のデータ及び残り２回分のデータすべての論理積を算出する。そして、この値を、ＲＡＭ５０３の作業エリアにて一旦記憶する。この処理の機能が本実施形態における論理反転手段や論理積算出手段を構成する。
【０１４２】
例えば、図２１（ｂ）に示すように、タイミングｔ１，ｔ２，ｔ３において記憶された信号レベルの論理値が「０」，「１」，「１」である場合、最先のデータの論理反転処理を行うと、最先のデータは「１」となる。従って、このデータと他の２回分のデータの論理積は「１」となる。
【０１４３】
続くステップＳ６００４では、ステップＳ６００３にて算出された論理積の値が「１」であるか否かを判別する。ここで論理積の値が「１」となった場合には、信号レベルが「Ｌ」から「Ｈ」に切り替わったことを意味するため、これをもって一般入賞口３１への入球有りと判断し、ステップＳ６００５において入賞口スイッチ２２１（一般入賞口３１）用の入球判別フラグの値に「１」を設定し、本処理を終了する。なお、入球判別フラグは、入球の有無を判別するための判別子であり、各入球検出スイッチに対応してそれぞれ設けられている。そして、主制御装置２６１は以後の処理において、これを基に入球の有無を判断している。
【０１４４】
一方、論理積の値が「０」の場合には、過去４ｍｓｅｃの間、信号レベルが「Ｌ」のままか若しくは「Ｈ」のまま切り替わらなかった、又は信号レベルが「Ｈ」から「Ｌ」に切り替わったこと等を意味するため、これをもって一般入賞口３１への入球無しと判断し、ステップＳ６００６において入賞口スイッチ２２１用の入球判別フラグの値に「０」を設定し、本処理を終了する。上述したステップＳ６００３〜Ｓ６００６の一連の処理（入球判定処理）の機能が本実施形態における入球判定手段を構成する。
【０１４５】
さて、入賞口スイッチ２２１等の近接スイッチは、従来より様々な不正行為の対象となってきた。
【０１４６】
例えば、従来では、図２４（ａ），（ｂ）に示すように、近接スイッチ９００を球通路９０１内へ挿し込んで固定する取付構造として、近接スイッチ９００を挿し込む取付孔９０２と対向する位置に、近接スイッチ９００の挿込み側先端部９００ａを保持する凹型保持部９０３を形成したものが知られている。しかし、本願の球回収部材２１６と同様、一般に球通路構成部材９０５は樹脂材料により一体形成されているため、従来の構成では、球通路構成部材９０５を金型成形する際、凹型保持部９０３の凹型形状（一対の突出部分９０３ａ，９０３ｂ）を形成するための金型Ｈを型抜きする都合上、取付孔９０２の上流側縁部９０２ａと近接スイッチ９００の上面部９００ｂとの間、及び、取付孔９０２の下流側縁部９０２ｂと近接スイッチ９００の下面部９００ｃとの間に隙間Ｋ１，Ｋ２が形成されていた。そのため、かかる隙間Ｋ１，Ｋ２から球通路９０１内へ針金等を侵入させ、近接スイッチ９００の通過孔９００ｄへ針金等を挿通し、近接スイッチ９００を誤作動させるといった不正行為が行われるおそれがあった。
【０１４７】
これに対し、本実施形態における取付孔４０６は、上下方向に沿った開口幅Ｙ１が、入賞口スイッチ２２１の上下幅と略同一幅に形成され、左右方向に沿った開口幅Ｙ２が、入賞口スイッチ２２１の左右幅と略同一幅に形成されている。これにより、入賞口スイッチ２２１が取付孔４０６に取付けられた際には、両者間に隙間が形成されないようになっている。結果として、上述したような不正行為を抑制することができる。
【０１４８】
上述したとおり、取付孔４０６と入賞口スイッチ２２１との間に隙間が形成されないように、球回収部材２１６を成形する場合には、入賞口スイッチ２２１の前端部を保持する凹型保持部を形成することができなくなるため、入賞口スイッチ２２１の取付状態を不安定にするおそれがある。
【０１４９】
これに対し、本実施形態では、膨出部４０５背面側の支持部４１１，４１２や、リブ４０２，４０３壁面の溝部４１３，４１４に加え、膨出部４０５において、取付孔４０６の上縁部及び下縁部からそれぞれ通路内側に向けて延出した延出片４０７，４０８が設けられている。これにより、入賞口スイッチ２２１の取付状態においては、各延出片４０７，４０８が、入賞口スイッチ２２１の上面部２２１ｆ及び下面部２２１ｇにそれぞれ面当接してこれを支持するため、十分な保持量を確保することができ、入賞口スイッチ２２１を安定して保持することができる。
【０１５０】
尚、単に入賞口スイッチ２２１の上面部２２１ｆ及び下面部２２１ｇに面当接し、比較的大きな当接面積を確保するだけであれば、膨出部４０５を設けることなく、取付孔４０６から通路外方に向けて延出片を延出形成する構成も考えられるが、かかる構成では、取付孔４０６の上縁部及び下縁部から通路外方に向け突出した延出片が邪魔となり、取付孔４０６への入賞口スイッチ２２１の取付作業が行いにくくなるおそれがある。
【０１５１】
この点、本実施形態では、球通路２３１の内側から外側に向けて膨出した膨出部４０５を設けるとともに、ここに形成した取付孔４０６の上縁部及び下縁部からそれぞれ球通路２３１の内側に向けて延出片４０７，４０８を延出形成することにより、入賞口スイッチ２２１との当接面積を比較的大きく確保しつつも、入賞口スイッチ２２１の取付作業の邪魔となることがない。
【０１５２】
本実施形態におけるパチンコ機１０は、適正に遊技球を流下させる等するため、遊技ホール等において、遊技盤３０の上部がより後方に位置するように傾斜して設置される。つまり、球通路２３１においては、遊技球が球回収部材２１６の背壁部４０１に沿って流下する。このため、本実施形態では、球通路２３１内側に突出した延出片４０７，４０８は、遊技球の流下勢を弱める規制手段として機能することとなる。通常の通路区間に規制部（図１０等の規制部４５０参照）を設ける場合、球通路２３１と遊技球との大きさの関係上、規制部の突出量をそれほど大きくすることができないが、本実施形態のように通路外方へ膨出した膨出部４０５から通路内方へ向けて延出片４０７，４０８を突出させることにより、当該延出片４０７，４０８の突出量を比較的大きくすることができるため、規制手段としてより大きな作用効果を得ることができる。
【０１５３】
また、膨出部４０５を備えることにより、球回収部材２１６の背壁部４０１の背面側に沿わせて針金等を侵入させてきたとしても、当該膨出部４０５によって針金等が通路外方に向きを変えられるため、球通路２３１内へ針金等を侵入させることがさらに困難となる。
【０１５４】
加えて、本実施形態では、延出片４０７，４０８の端縁部４０７ａ，４０８ａのうち、入賞口スイッチ２２１の通過孔２２１ｄの中心から後側（膨出部４０５側）に位置する部分は、通過孔２２１ｄの周縁形状に沿って略円弧状に形成されている。結果として、延出片４０７，４０８の端縁部４０７ａ，４０８ａを通過孔２２１ｄの周縁部に達する限界位置まで延出することができるため、保持されない入賞口スイッチ２２１の前端部により近い位置まで支持することができるとともに、入賞口スイッチ２２１との当接面積をより大きく確保することができる。仮に延出片４０７，４０８の端縁部４０７ａ，４０８ａを左右方向に沿って直線状とした場合、当該延出片４０７，４０８により通過孔２２１ｄを塞がないようにする関係上、入賞口スイッチ２２１との当接面積を比較的大きく確保することが難しくなる。
【０１５５】
また、本実施形態では、延出片４０７，４０８によって、入賞口スイッチ２２１の側辺部をも支持し、断面略矩形状の球通路２３１の３辺を保持した状態となるため、球通路２３１内における入賞口スイッチ２２１の取付状態を安定させることができる。
【０１５６】
さらに、本実施形態では、延出片４０７，４０８を備えることにより、入賞口スイッチ２２１の通過孔２２１ｄ周縁に対し遊技球が直接、勢い良く衝突するのを抑制することができ、入賞口スイッチ２２１における破損や故障の発生を抑制することができる。
【０１５７】
さて、上述した入賞口スイッチ２２１等のような近接スイッチを用いた場合、外部からの電波の影響を受けて検出コイル周りの磁界が変化してしまうことがある。このため、従来では、電波を発信する機器を使用して、故意に近接スイッチを誤作動させる不正行為、いわゆる「電波ゴト」が行われるおそれがあった。
【０１５８】
例えば、一般入賞口３１等への入球個数を擬似的に増やす入賞口スイッチ２２１等の入球検出スイッチに対する不正行為について説明する。入球検出スイッチに対して、図２２（ ａ ）に示すように、遊技球の通過中（時間ＴＳ１〜ＴＳ２）に、それよりも発信時間（時間ＴＫ１〜ＴＫ２）の短い電波を挿し込むことで、図２２（ ｂ ）に示すように、主制御装置２６１の入力レベルは、時間ＴＫ１〜ＴＫ２の間がローレベル（Ｌ）となる。つまり、遊技球の通過中（時間ＴＳ１〜ＴＳ２）に信号レベルが２度切換わることとなり、実際には一般入賞口３１等へ入球した遊技球が１個であるにもかかわらず、２個分の入球があったと誤検知させることができる。このようにして、例えば第１契機対応口３３の第１契機対応口スイッチ２２４に対して不正行為を行えば、第１契機対応口３３へ遊技球が入球していないにも拘らず、大当たり抽選の契機を余分に得られることとなる。
【０１５９】
この他、正規の遊技球（直径１１．０ｍｍ）及び入賞口スイッチ２２１の通過孔２２１ｄ（直径１１．４ｍｍ）よりも直径の大きい遊技球（以下、「不正大球」という。例えば直径１１．８ｍｍ）を用いる方法も考えられる。かかる場合、まず不正大球を一般入賞口３１へ入賞させる等して、予め球通路２３１内へ入れる。そうすると、当該不正大球は、入賞口スイッチ２２１の通過孔２２１ｄを通過できずに、当該通過孔２２１ｄに引っ掛った状態となる。これにより、入賞口スイッチ２２１は、常時、不正大球を検出した状態（オン状態）となる。この状態で、入賞口スイッチ２２１を非検知状態（オフ状態）とする不正な電波〔図２２（ ａ ）参照〕を適宜発信することにより、オンオフ状態を切換え、遊技球が通過していないにもかかわらず、遊技球が通過したと誤検知させることができる。但し、かかる不正行為の対象は、入賞口スイッチ２２１のように、遊技者が視認できないパチンコ機１０の背面側等に配置される入球検出スイッチに限られる。第１契機対応口スイッチ２２４等のように、パチンコ機１０の前面側から遊技者が視認可能な入球検出スイッチに対しては、不正大球を予めセットしておくことは考えにくいからである。
【０１６０】
前段の入球個数を擬似的に増やす方法は、実際に遊技球を一般入賞口３１等へ入賞させ、入賞口スイッチ２２１を通過するタイミングを合わせて、不正な電波を挿し込まなければならず、現実的に行うことは困難である。これに対し、後段の不正大球を用いる方法は、実行するのが比較的容易であるため、このような不正行為を効果的に防止する手段が必要となる。
【０１６１】
この点、本実施形態における入賞口スイッチ２２１は、上下方向に対し、その上面部２２１ｆから下面部２２１ｇ側へ所定長離れた位置ｘ１から、さらに所定長離れた位置ｘ２までの区間が検出範囲Ｌとして設定されたものである。つまり、遊技球を検出可能な検出範囲Ｌが、通過孔２２１ｄを通過不能な不正大球が当該通過孔２２１ｄに上流側から嵌った状態においても届かない位置に設定されている。結果として、上述したような不正大球を用いた不正行為を抑制することができる。
【０１６２】
但し、不正大球が楕円形状等、歪な形状に形成されている場合においては、入賞口スイッチ２２１の検出範囲Ｌを上記のように設定するだけでは、不正大球の一部が入賞口スイッチ２２１の検出範囲Ｌに届いてしまい、効果が不十分となるおそれがある。
【０１６３】
この点、本実施形態では、入賞口スイッチ２２１の上流側に延出片４０７を備えることにより、さらに上流位置で不正大球を留めておくことが可能となるため、上述したような不正大球を用いた不正行為の抑制効果をさらに高めることができる。
【０１６４】
次に、遊技球の通過時間ＴＳ１〜ＴＳ２よりも長い時間、電波を発信することで、遊技球の通過検出を打ち消す払出カウントスイッチ等に対する不正行為について説明する。払出カウントスイッチに対して、図２３（ ａ ）に示すように、遊技球の通過時間ＴＳ１〜ＴＳ２よりも長い時間、電波を発信することで、図２３（ ｂ ）に示すように、払出制御装置３１１の入力レベルは、ハイレベル（Ｈ）に切換わることなく、ローレベル（Ｌ）に維持される。つまり、実際には賞球が払い出され、当該賞球が払出カウントスイッチを通過しているにもかかわらず、その通過が検出されないこととなる。この結果、払出制御装置３１１が再度、払出処理を実行することとなり、不正行為者は、予め設定された個数以上の賞球を過剰に獲得することができる。
【０１６５】
但し、このような方法は、実際に遊技球を一般入賞口３１等へ入賞させる必要があるとともに、払出制御装置３１１によって所定時間経過後には払出しエラーとして処理されてしまうため、効率が悪く、現実的ではない。これに対し、仮に払出カウントスイッチとその取付孔との間に上記隙間Ｋ１，Ｋ２（図２４参照）と同様の隙間が形成されている場合には、当該隙間から球通路内へ針金等を侵入させ、払出装置３５８内において遊技球の流下を規制しているスプロケット等の規制部材を不正操作して遊技球を流下させつつ、上述したような遊技球の通過検出を打ち消す不正な電波を発信することで、不正に大量の遊技球を獲得することが可能となる。
【０１６６】
このような不正行為に対しては、本実施形態における入賞口スイッチ２２１の取付構造を払出カウントスイッチの取付構造に採用することにより、十分に対処することができる。
【０１６７】
なお、上述した実施形態の記載内容に限定されず、例えば次のように実施してもよい。
【０１６８】
（ａ）上記実施形態では、入球判定処理を行うに際して、信号レベルバッファに記憶された最近の過去３回分のデータのうちの最先のデータの論理反転処理を行うとともに、当該論理反転されたデータ及び残り２回分のデータすべての論理積を算出し、この演算結果に基づき判定処理を行う構成となっている。これに限らず、信号レベルバッファに記憶された少なくとも２回分のデータを基に同様の処理を行う構成としてもよい。また、最先のデータの論理反転処理を省略して、単に複数回分のデータの論理積を算出する構成としてもよい。
【０１６９】
（ｂ）カウントスイッチ２２３や第１契機対応口スイッチ２２４など他の球出検出スイッチが球回収部材２１６に取付けられる構成においては、当該球検出スイッチに関しても、上記実施形態における入賞口スイッチ２２１の取付構造と同様の取付構造を採用してもよい。
【０１７０】
（ｃ）球検出スイッチが取付けられる球通路構成部材は、球回収部材２１６に限定されるものではなく、遊技球が通過する球通路が形成された部材であれば、例えば可変入賞装置や払出装置など他の部材であってもよい。
【０１７１】
（ｄ）膨出部４０５の形状や大きさ等、その構成は上記実施形態に限定されるものではない。例えば、膨出部４０５が入賞口スイッチ２２１の後端部と略同一位置まで膨出した構成としてもよい。
【０１７２】
また、膨出部４０５の背面側において、取付孔４０６の周縁部に、例えば湾曲等した面取り部を形成した構成としてもよい。これにより、入賞口スイッチ２２１の取付作業を行いやすくなる。
【０１７３】
（ｅ）延出片４０７，４０８の形状や大きさ等、その構成は上記実施形態に限定されるものではない。
【０１７４】
例えば、入賞口スイッチ２２１の通過孔２２１ｄの中心から前側（遊技盤３０側）部分を省略した構成としてもよい。上述したような不正大球を用いた不正行為を抑制する効果や、規制手段としての効果を高める場合には、入賞口スイッチ２２１の通過孔２２１ｄの全周囲において延出片４０７，４０８のような被覆部を形成することが好ましいが、かかる構成とすると、球通路が狭くなり、遊技球が円滑に流下しなくなってしまうおそれがある。この点、少なくとも入賞口スイッチ２２１の通過孔２２１ｄの中心から後側（膨出部４０５側）に位置する箇所において延出片４０７，４０８が設けられていれば、このような不具合の発生を抑制しつつも、不正大球を用いた不正行為を抑制する効果や、規制手段としての効果をより効果的に発揮させることができる。
【０１７５】
また、上記実施形態では、延出片４０７，４０８の端縁部４０７ａ，４０８ａのうち、入賞口スイッチ２２１の通過孔２２１ｄの中心から後側（膨出部４０５側）に位置する部分に関しては、通過孔２２１ｄの周縁形状に沿って略円弧状に形成されている。これに限らず、膨出部４０５の膨出量が比較的大きく、延出片４０７，４０８と入賞口スイッチ２２１との当接面積が十分に確保できるのであれば、延出片４０７，４０８の端縁部４０７ａ，４０８ａが左右方向に沿って直線状に形成された構成としてもよい。
【０１７６】
また、上記実施形態では、各延出片４０７，４０８がリブ４０２，４０３をつなぐように、左右方向に沿って取付孔４０６の上縁部及び下縁部の略全域に設けられている。これに限らず、例えばリブ４０２と膨出部４０５とが接するコーナー部、及び、リブ４０３と膨出部４０５とが接するコーナー部において、それぞれ別々に略三角形状の延出片が形成された構成としてもよい。これにより、少なくとも断面略矩形状の球通路２３１の３辺の一部ずつを保持した状態となるため、球通路２３１内における入賞口スイッチ２２１の取付状態を安定させることができる。
【０１７７】
（ｆ）膨出部４０５や延出片４０７，４０８の構成によっては、支持部４１１，４１２、溝部４１３，４１４、規制片４１５などを省略した構成としてもよい。
【０１７８】
（ｇ）上記実施形態では、入賞口スイッチ２２１の検出範囲Ｌが、その下面部２２１ｇよりもさらに下方へ離れた位置に設定されているが、検出範囲Ｌは、上記実施形態の範囲に限定されるものではない。例えば、検出範囲Ｌの上限位置が下面部２２１ｇの位置であってもよい。また、従来同様、検出範囲Ｌを通過孔２２１ｄ内の区間に設定してもよい。但し、上述したような不正大球を用いた不正行為を抑制する観点では、少なくとも検出範囲Ｌが、入賞口スイッチ２２１の上面部２２１ｆから通過孔２２１ｄの半径（通過孔２２１ｄを通過可能な最大径の球の半径）以上離れていることが好ましい。つまり、検出範囲Ｌが、通過孔２２１ｄを通過不能な不正大球が当該通過孔２２１ｄに上流側から嵌った状態においても届かない位置に設定されていることが好ましい。
【０１７９】
（ｈ）上記実施形態では、入賞口スイッチ２２１が自身の長手方向を前後方向に沿わせた状態で球回収部材２１６に取付けられている。これに限らず、入賞口スイッチ２２１が自身の長手方向を左右方向に沿わせた状態で球回収部材２１６に取付けられる構成としてもよい。かかる場合には、例えば支持部４１１等を省略し、取付孔４０６と連通するスリットを膨出部４０５やリブ４０２等に形成しておき、入賞口スイッチ２２１の長手方向を左右方向に沿わせた状態で、当該入賞口スイッチ２２１を球通路２３１の背面側から前方向に向けて当該球通路２３１内へ挿し込むような取付構造などを採用することができる。
【０１８０】
（ｉ）上記実施形態では、上下方向に沿って延びる通路区間において、入賞口スイッチ２２１が取付けられる構成となっているが、これに限らず、例えば通路が斜めに傾斜した区間において入賞口スイッチ２２１を取付ける構成としてもよい。
【０１８１】
（ｊ）上記実施形態では、球検出手段として、遊技球の通過に伴う磁束の変化を検出することにより当該遊技球の通過を検出する近接スイッチを採用している。これに限らず、遊技球の通過を光センサにより検知するスイッチなど他の構成のものを採用してもよい。
【０１８２】
（ｋ）上記実施形態とは異なるタイプのパチンコ機として実施してもよい。また、パチンコ機以外にも、アレンジボール機、それに類する雀球等の各種遊技機などとして実施してもよい。
【０１８３】
以下、特許請求の範囲の請求項に記載されないものであって、上記実施形態から把握できる技術的思想について、その効果とともに記載する。
【０１８４】
手段１．遊技球が流下可能な球通路を有した球通路構成部材と、
遊技球が通過可能な通過孔を有し、当該通過孔を通過する遊技球を検出可能な球検出手段とを備え、
前記通過孔が前記球通路内に臨むように前記球検出手段が前記球通路構成部材に取付けられる遊技機において、
前記球通路構成部材は、
前記球通路を構成する壁部の一部において、当該球通路の内側から外側に向けて膨出した膨出部と、
前記膨出部において、遊技球の流下方向に沿った開口幅が、前記通過孔の貫通方向に沿った前記球検出手段の上下幅と略同一幅に形成され、当該球検出手段を前記球通路内へ挿し込み可能に構成された取付孔と、
前記取付孔の上流側縁部及び下流側縁部からそれぞれ前記球通路の内側に向けて延出し、前記球検出手段の上面部及び下面部に当接可能に構成された延出片とを備えたことを特徴とする遊技機。
【０１８５】
球検出手段を球通路内へ挿し込んで固定する取付構造として、球検出手段を挿し込む取付孔と対向する位置に、球検出手段の挿込み側先端部を保持する凹型の保持部を形成したものが従来より知られている。しかし、一般に球通路構成部材は樹脂材料等により一体形成されているため、従来の構成では、球通路構成部材を金型成形する際、凹型保持部のうちの一対の突出部分を形成するための金型を型抜きする都合上、取付孔の上流側縁部と球検出手段の上面部との間、及び、取付孔の下流側縁部と球検出手段の下面部との間に隙間が形成されていた。そのため、かかる隙間から球通路内へ針金等を侵入させ、球検出手段の通過孔へ針金等を挿通し、球検出手段を誤作動させるといった不正行為が行われるおそれがあった。勿論、前後左右など多方向へ金型を型抜きするような複雑な動作を行う金型装置を用いれば、上記隙間を生じさせることなく、上記凹型保持部を形成することも不可能ではないが、かかる場合には、製造工程の複雑化や生産コストの増大といった不具合を生じさせることとなる
この点、上記手段１では、遊技球の流下方向（通路方向）に沿った取付孔の開口幅を球検出手段の上下幅と略同一幅に形成することで、取付孔の上流側縁部と球検出手段の上面部との間、及び、取付孔の下流側縁部と球検出手段の下面部との間に隙間が形成されないようになる。これにより、上述したような不正行為を抑制することができる。
【０１８６】
上述したとおり、取付孔の上流側縁部と球検出手段の上面部との間、及び、取付孔の下流側縁部と球検出手段の下面部との間に隙間が形成されないように、球通路構成部材を成形する場合には、球検出手段の挿込み側先端部を保持する凹型保持部を形成することができなくなるため、球検出手段の取付状態を不安定にするおそれがある。
【０１８７】
これに対し、球通路の内壁面に球検出手段の挿込み方向に沿って、当該球検出手段の側辺部が嵌り込む溝部を形成することにより、取付状態の安定化を図ることも考えられるが、球検出手段の側辺部と通過孔の周縁部と距離は比較的短く、これだけでは十分な保持量を確保することが難しい。
【０１８８】
この点、本手段１では、取付孔の上流側縁部及び下流側縁部からそれぞれ球通路の内側に向けて延出形成された延出片が、球検出手段の上面部及び下面部に面当接してこれを支持するため、球検出手段を安定して保持することができる。
【０１８９】
尚、単に球検出手段の上面部及び下面部に面当接し、比較的大きな当接面積を確保するだけであれば、膨出部を設けることなく、取付孔から通路外方側に向けて延出片を延出形成する構成も考えられるが、かかる構成では、取付孔の上流側縁部及び下流側縁部から通路外方に向け突出した延出片が邪魔となり、取付孔への球検出手段の取付作業が行いにくくなるおそれがある。
【０１９０】
この点、本手段１では、球通路の内側から外側に向けて膨出した膨出部を設けるとともに、ここに形成した取付孔の上流側縁部及び下流側縁部からそれぞれ球通路の内側に向けて延出片を延出形成することにより、球検出手段との当接面積を比較的大きく確保しつつも、球検出手段の取付作業の邪魔となることがない。
【０１９１】
また、球通路内側に突出した延出片は、例えば球通路が膨出部形成側に若干傾斜して配置され、膨出部の形成された壁部に沿うようにして遊技球が流下する構成等において、遊技球の流下勢を弱める規制手段として機能させることができる。通常の通路区間に規制部を設ける場合、通路と遊技球との大きさの関係上、規制部の突出量をそれほど大きくすることができないが、本手段１のように通路外方へ膨出した膨出部から通路内方へ向けて延出片を突出させることにより、当該延出片の突出量を比較的大きくすることができるため、規制手段としてより大きな作用効果を得ることができる。
【０１９２】
また、膨出部を備えることにより、球通路構成部材の外壁面に沿わせて針金等を侵入させてきたとしても、当該膨出部によって針金等が通路外方に向きを変えられるため、球通路内へ針金等を侵入させることがさらに困難となる。
【０１９３】
手段２．前記延出片の端縁部の少なくとも一部が前記球検出手段の通過孔の周縁形状に沿って形成されていることを特徴とする手段１に記載の遊技機。
【０１９４】
延出片の端縁部を直線状とした場合、当該延出片により通過孔を塞がないようにする関係上、球検出手段との当接面積を比較的大きく確保することが難しくなる。また、仮に球検出手段の側辺部が嵌り込む溝部を有しない構成においては、断面略矩形状の球通路の１辺側（膨出部側）のみで球検出手段を保持することとなるため、球通路内における球検出手段の取付状態が不安定となるおそれがある。
【０１９５】
この点、上記手段２によれば、延出片の端縁部を通過孔の周縁部に達する限界位置まで延出することができるため、保持されない球検出手段の挿込み側先端部により近い位置まで支持することができるとともに、球検出手段との当接面積をより大きく確保することができる。また、球検出手段の側辺部の少なくとも一部を支持し、断面略矩形状の球通路の３辺（少なくとも１辺及びこれと接する２辺とのコーナー部）を保持した状態となるため、球通路内における球検出手段の取付状態を安定させることができる。
【０１９６】
通常、断面略矩形状の球通路の１辺の大きさは、遊技球の流下を阻害しないよう、ある程度、余裕を持って形成されている。例えば遊技球の直径が１１ｍｍであるのに対し、球通路の１辺はそれよりもやや大きい１２ｍｍ程度に設定される。そのため、球通路内に露出した球検出手段の通過孔周縁に対し、流下する遊技球が衝突し、球検出手段が破損したり故障するおそれがあった。
【０１９７】
この点、本手段２によれば、延出部を備えることにより、球検出手段の通過孔周縁に対し遊技球が直接、勢い良く衝突するのを防止し、上記不具合の発生を抑制することができる。
【０１９８】
手段３．前記球通路構成部材が樹脂材料により一体形成されていることを特徴とする手段１又は２に記載の遊技機。
【０１９９】
上記手段３によれば、製造工程の複雑化や生産コストの増大を抑制することができる。上述したように、手段３の構成下において、上記手段１等の作用効果がより奏効することとなる。
【０２００】
手段４．前記球検出手段は、遊技球の通過に伴う磁束の変化を検出することにより当該遊技球の通過を検出する近接スイッチであることを特徴とする手段１乃至３のいずれかに記載の遊技機。
【０２０１】
本手段のような近接スイッチを球検出手段として用いた場合、外部からの電波の影響を受けて検出コイル周りの磁界が変化してしまうことがある。このため、従来では、電波を発信する機器を使用して、故意に近接スイッチを誤作動させる不正行為、いわゆる「電波ゴト」が行われるおそれがあった。
【０２０２】
かかる電波ゴトの方法の一つとして、例えば正規の遊技球よりも直径の大きい遊技球（以下、「不正大球」という）を用いる方法が考えられる。かかる場合、まず不正大球を予め球通路内へ入れる。そうすると、当該不正大球は、球検出手段の通過孔を通過できずに、当該通過孔に引っ掛った状態となる。これにより、球検出手段は、常時、不正大球を検出した状態（オン状態）となる。この状態で、球検出手段を非検知状態（オフ状態）とする不正な電波を適宜発信することにより、オンオフ状態を切換え、遊技球が通過していないにもかかわらず、遊技球が通過したと誤検知させることができる。
【０２０３】
この点、球検出手段の上流側に上記延出片を備えることにより、球検出手段の検出範囲に届かない位置で不正大球を留めておくことも可能となるため、上述したような不正行為を抑制することができる。
【０２０４】
手段５．前記球検出手段は、前記通過孔を通過する遊技球を検出可能なその検出範囲が、前記通過孔を通過不能な遊技球（通過孔の直径よりも大きな直径を有する球）が当該通過孔に上流側から嵌った状態においても届かない位置に設定されていることを特徴とする手段１乃至４のいずれかに記載の遊技機。
【０２０５】
例えば、通過孔の貫通方向に対し、検出範囲が、球検出手段の上面部から通過孔の半径（通過孔を通過可能な最大径の球の半径）以上離れているもの等が一例として挙げられる。
【０２０６】
上記手段５によれば、上述したような不正大球を用いた不正行為の抑制効果をさらに高めることができる。例えば、不正大球が楕円形状等、歪な形状に形成されている場合においては、球検出手段の上流側に上記延出片を備えるだけでは、不正大球の一部が球検出手段の検出範囲に届いてしまい、効果が不十分となるおそれがある。
【０２０７】
手段６．前記球通路の壁面に前記球検出手段の挿込み方向に沿って当該球検出手段の側辺部が嵌り込む溝部を形成したことを特徴とする手段１乃至５のいずれかに記載の遊技機。
【０２０８】
上記手段６によれば、上記延出片に加え、上記溝部を備えることで、球検出手段の取付状態の安定性の向上を図ることができる。
【０２０９】
手段７．前記球通路のうち、前記膨出部の形成された壁部に沿って遊技球が流下するように構成されていることを特徴とする手段１乃至６のいずれかに記載の遊技機。
【０２１０】
上記手段７によれば、上述したような規制手段として機能を高めることとができる。
【０２１１】
手段８．遊技球を発射する発射手段と、
発射された遊技球が案内される遊技領域を前面側に有した遊技盤と、
前記遊技領域内に配置された入球手段とを備えた遊技機において、
前記流路構成部材は、前記遊技盤の背面側に取付けられる部材であって、
前記球検出手段は、前記入球手段へ入球した遊技球を検出する入球検出手段であることを特徴とする手段１乃至７のいずれかに記載の遊技機。
【０２１２】
上記手段８のような構成の遊技機は、適正に遊技球を流下させる等するため、遊技ホール等において、遊技盤の上部がより後方に位置するように傾斜して設置される。このため、流路構成部材（球通路）の背面側に上記膨出部を設けることにより、上述したように規制手段として機能させることができる。
【０２１３】
手段９．前記球検出手段の挿し込み方向に対し、前記球検出手段の通過孔の中心位置より前記膨出部側の範囲に前記延出片を形成したことを特徴とする手段１乃至８のいずれかに記載の遊技機。
【０２１４】
上述したような不正大球を用いた不正行為を抑制する効果や、規制手段としての効果を高める場合には、球検出手段の通過孔の全周囲において上記延出片のような被覆部を形成することが好ましいが、かかる構成とすると、球通路が狭くなり、遊技球が円滑に流下しなくなってしまうおそれがある。この点、上記手段９によれば、このような不具合の発生を抑制しつつも、不正大球を用いた不正行為を抑制する効果や、規制手段としての効果をより効果的に発揮させることができる。
【０２１５】
手段１０．前記遊技機は弾球遊技機（例えば、パチンコ機又はパチンコ機に準ずる遊技機）であることを特徴とする手段１乃至９のいずれかに記載の遊技機。
【０２１６】
例えば、弾球遊技機では、所定の入球手段への遊技球の入球に基づき、所定の遊技価値を付与する遊技価値付与手段を備えている。ここで、遊技価値を付与することには、例えば賞球の払出しを行うこと、遊技者に有利な特別遊技状態を発生させるか否かの抽選を行うこと、識別情報を変動表示することなどが含まれる。
【符号の説明】
【０２１７】
１０…パチンコ機、３０…遊技盤、３１…一般入賞口、２１６…球回収部材、２２１…入賞口スイッチ、２２１ｄ…通過孔、２２１ｆ…上面部、２２１ｇ…下面部、２３１…球通路、４０１…背壁部、４０２，４０３…リブ、４０５…膨出部、４０６…取付孔、４０７，４０８…延出片、４０７ａ，４０８ａ…端縁部、４１１，４１２…支持部、４１３，４１４…溝部、４１５…規制片、４１７…アーム部、４１８…係止爪、Ｌ…検出範囲。
【図１】
2020175256.tif 000003
【図２】
2020175256.tif 000004
【図３】
2020175256.tif 000005
【図４】
2020175256.tif 000006
【図５】
2020175256.tif 000007
【図６】
2020175256.tif 000008
【図７】
2020175256.tif 000009
【図８】
2020175256.tif 000010
【図９】
2020175256.tif 000011
【図１０】
2020175256.tif 000012
【図１１】
2020175256.tif 000013
【図１２】
2020175256.tif 000014
【図１３】
2020175256.tif 000015
【図１４】
2020175256.tif 000016
【図１５】
2020175256.tif 000017
【図１６】
2020175256.tif 000018
【図１７】
2020175256.tif 000019
【図１８】
2020175256.tif 000020
【図１９】
2020175256.tif 000021
【図２０】
2020175256.tif 000022
【図２１】
2020175256.tif 000023
【図２２】
2020175256.tif 000024
【図２３】
2020175256.tif 000025
【図２４】
2020175256.tif 000026